【手続補正書】
【提出日】平成19年2月28日(2007.2.28)
【手続補正１】
【補正対象書類名】明細書
【補正対象項目名】発明の名称
【補正方法】変更
【補正の内容】
【発明の名称】データ記録再生装置およびデータ記録再生方法
【手続補正２】
【補正対象書類名】明細書
【補正対象項目名】特許請求の範囲
【補正方法】変更
【補正の内容】
【特許請求の範囲】
【請求項１】
データ記録媒体と、
所定のプログラムの記録ビデオ信号にデータ圧縮処理をしてデータストリームを得るエンコーダと、
上記データストリームを上記データ記録媒体に記録するデータ記録手段と、
上記データストリームのうち、上記記録ビデオ信号の一定時間毎の部分に対応するデータの記録位置を示す情報を持つテーブルを記憶する記憶手段と、
上記テーブルに基づいて、上記データ記録媒体より上記記録ビデオ信号の一定時間毎の部分に対応するデータを再生する第１のデータ再生手段と、
上記再生されたデータを処理して、上記記録ビデオ信号の一定時間毎の部分に係る子画像を画面上の分割領域にそれぞれ配置したマルチ画面を表示するためのマルチ画面用ビデオ信号を作成するビデオ信号作成手段とを備えることを特徴とするデータ記録再生装置。
【請求項２】
上記マルチ画面用ビデオ信号によって表示された上記マルチ画面に含まれる複数の子画像より一の子画像を選択する画像選択手段と、
上記テーブルに基づいて、上記選択された一の子画像に対応したデータが記録されている上記データ記録媒体の記録位置にジャンプし、該記録位置から上記データストリームの再生を開始する第２のデータ再生手段と、
上記再生されたデータストリームにデータ伸長処理をして再生ビデオ信号を得るデコーダとをさらに備えることを特徴とする請求項１に記載のデータ記録再生装置。
【請求項３】
上記データストリームは、ＭＰＥＧストリームであることを特徴とする請求項１に記載のデータ記録再生装置。
【請求項４】
データ記録媒体と、
所定のプログラムの記録ビデオ信号にデータ圧縮処理をしてデータストリームを得るエンコーダと、
上記データストリームを上記データ記録媒体に記録するデータ記録手段と、
上記記録ビデオ信号の一定時間毎の部分に係る子画像を画面上の分割領域にそれぞれ配置したマルチ画面を表示するためのマルチ画面用ビデオ信号を作成するビデオ信号作成手段と、
上記作成されたマルチ画面用ビデオ信号を上記データストリームに関連づけて上記データ記録媒体に記録するビデオ信号記録手段と、
上記データ記録媒体より上記マルチ画面用ビデオ信号を再生するビデオ信号再生手段とを備えることを特徴とするデータ記録再生装置。
【請求項５】
上記データストリームのうち、上記記録ビデオ信号の一定時間毎の部分に対応するデータの記録位置を示す情報を持つテーブルを記憶する記憶手段と、
上記マルチ画面用ビデオ信号によって表示された上記マルチ画面に含まれる複数の子画像より一の子画像を選択する画像選択手段と、
上記テーブルに基づいて、上記選択された一の子画像に対応したデータが記録されている上記データ記録媒体の記録位置にジャンプし、該記録位置から上記データストリームの再生を開始するデータ再生手段と、
上記再生されたデータストリームにデータ伸長処理をして再生ビデオ信号を得るデコーダとをさらに備えることを特徴とする請求項４に記載のデータ記録再生装置。
【請求項６】
上記データストリームは、ＭＰＥＧストリームであることを特徴とする請求項４に記載のデータ記録再生装置。
【請求項７】
データ記録媒体と、
所定のプログラムの記録ビデオ信号にデータ圧縮処理をしてデータストリームを得るエンコーダと、
上記データストリームを上記データ記録媒体に記録するデータ記録手段と、
上記データ記録媒体に記録された複数のプログラムの記録ビデオ信号に対応したデータストリームの最初の記録位置を示す情報を持つテーブルを記憶する記憶手段と、
上記テーブルに基づいて、上記データ記録媒体より上記複数のプログラムの記録ビデオ信号に対応したデータストリームの最初の部分を再生する第１のデータ再生手段と、
上記再生された最初の部分を処理して、上記複数のプログラムの記録ビデオ信号に係る子画像を画面上の分割領域にそれぞれ配置したマルチ画面を表示するためのマルチ画面用ビデオ信号を作成するビデオ信号作成手段とを備えることを特徴とするデータ記録再生装置。
【請求項８】
上記マルチ画面用ビデオ信号によって表示された上記マルチ画面に含まれる複数の子画像より一の子画像を選択する画像選択手段と、
上記テーブルに基づいて、上記選択された一の子画像に対応したデータが記録されている上記データ記録媒体の記録位置にジャンプし、該記録位置から上記データストリームの再生を開始する第２のデータ再生手段と、
上記再生されたデータストリームにデータ伸長処理をして再生ビデオ信号を得るデコーダとをさらに備えることを特徴とする請求項７に記載のデータ記録再生装置。
【請求項９】
上記データストリームは、ＭＰＥＧストリームであることを特徴とする請求項７に記載のデータ記録再生装置。
【請求項１０】
データ記録媒体と、
所定のプログラムの記録ビデオ信号にデータ圧縮処理をしてデータストリームを得るエンコーダと、
上記データストリームを上記データ記録媒体に記録するデータ記録手段と、
上記データ記録媒体に記録された複数のプログラムの記録ビデオ信号に係る子画像を画面上の分割領域にそれぞれ配置したマルチ画面を表示するためのマルチ画面用ビデオ信号を作成するビデオ信号作成手段と、
上記作成されたマルチ画面用ビデオ信号を上記データ記録媒体に記録するビデオ信号記録手段と、
上記データ記録媒体より上記マルチ画面用ビデオ信号を再生するビデオ信号再生手段とを備えることを特徴とするデータ記録再生装置。
【請求項１１】
上記データ記録媒体に記録された複数のプログラムの記録ビデオ信号に対応したデータストリームの最初の記録位置を示す情報を持つテーブルを記憶する記憶手段と、
上記マルチ画面用ビデオ信号によって表示された上記マルチ画面に含まれる複数の子画像より一の子画像を選択する画像選択手段と、
上記テーブルに基づいて、上記選択された一の子画像に対応したデータが記録されている上記データ記録媒体の記録位置にジャンプし、該記録位置から上記データストリームの再生を開始するデータ再生手段と、
上記再生されたデータストリームにデータ伸長処理をして再生ビデオ信号を得るデコーダとをさらに備えることを特徴とする請求項１０に記載のデータ記録再生装置。
【請求項１２】
上記データストリームは、ＭＰＥＧストリームであることを特徴とする請求項１０に記載のデータ記録再生装置。
【請求項１３】
所定のプログラムの記録ビデオ信号にデータ圧縮処理をしてデータストリームを得るエンコードステップと、
上記データストリームをデータ記録媒体に記録するデータ記録ステップと、
上記データストリームのうち、上記記録ビデオ信号の一定時間毎の部分に対応するデータの記録位置を示す情報を持つテーブルを記憶する記憶ステップと、
上記テーブルに基づいて、上記データ記録媒体より上記記録ビデオ信号の一定時間毎の部分に対応するデータを再生するデータ再生ステップと、
上記再生されたデータを処理して、上記記録ビデオ信号の一定時間毎の部分に係る子画像を画面上の分割領域にそれぞれ配置したマルチ画面を表示するためのマルチ画面用ビデオ信号を作成するビデオ信号作成ステップとを有することを特徴とするデータ記録再生方法。
【請求項１４】
所定のプログラムの記録ビデオ信号にデータ圧縮処理をしてデータストリームを得るエンコードステップと、
上記データストリームをデータ記録媒体に記録するデータ記録ステップと、
上記記録ビデオ信号の一定時間毎の部分に係る子画像を画面上の分割領域にそれぞれ配置したマルチ画面を表示するためのマルチ画面用ビデオ信号を作成するビデオ信号作成ステップと、
上記作成されたマルチ画面用ビデオ信号を上記データストリームに関連づけて上記データ記録媒体に記録するビデオ信号記録ステップと、
上記データ記録媒体より上記マルチ画面用ビデオ信号を再生するビデオ信号再生ステップとを有することを特徴とするデータ記録再生方法。
【請求項１５】
所定のプログラムの記録ビデオ信号にデータ圧縮処理をしてデータストリームを得るエンコードステップと、
上記データストリームをデータ記録媒体に記録するデータ記録ステップと、
上記データ記録媒体に記録された複数のプログラムの記録ビデオ信号に対応したデータストリームの最初の記録位置を示す情報を持つテーブルを記憶する記憶ステップと、
上記テーブルに基づいて、上記データ記録媒体より上記複数のプログラムの記録ビデオ信号に対応したデータストリームの最初の部分を再生するデータ再生ステップと、
上記再生された最初の部分を処理して、上記複数のプログラムの記録ビデオ信号に係る子画像を画面上の分割領域にそれぞれ配置したマルチ画面を表示するためのマルチ画面用ビデオ信号を作成するビデオ信号作成ステップとを有することを特徴とするデータ記録再生方法。
【請求項１６】
所定のプログラムの記録ビデオ信号にデータ圧縮処理をしてデータストリームを得るエンコードステップと、
上記データストリームをデータ記録媒体に記録するデータ記録ステップと、
上記データ記録媒体に記録された複数のプログラムの記録ビデオ信号に係る子画像を画面上の分割領域にそれぞれ配置したマルチ画面を表示するためのマルチ画面用ビデオ信号を作成するビデオ信号作成ステップと、
上記作成されたマルチ画面用ビデオ信号を上記データ記録媒体に記録するビデオ信号記録ステップと、
上記データ記録媒体より上記マルチ画面用ビデオ信号を再生するビデオ信号再生ステップとを有することを特徴とするデータ記録再生方法。
【手続補正３】
【補正対象書類名】明細書
【補正対象項目名】０００１
【補正方法】変更
【補正の内容】
【０００１】
【発明の属する技術分野】
この発明は、例えば、所定のプログラムの記録ビデオ信号を処理して得られるＭＰＥＧストリームをハードディスク等のデータ記録媒体に対して記録再生する場合に適用して好適なデータ記録再生装置およびデータ記録再生方法に関する。詳しくは、データ記録媒体に記録されるデータストリームのうち、記録ビデオ信号の一定時間毎の部分に対応するデータの記録位置を示す情報を持つテーブルを記憶しておくことで、記録ビデオ信号の一定時間毎の部分による子画像を画面上の分割領域にそれぞれ配置したマルチ画面を表示でき、例えばこのマルチ画面より再生開始時間の指定を容易に行い得るデータ記録再生装置等に係るものである。
【手続補正４】
【補正対象書類名】明細書
【補正対象項目名】０００９
【補正方法】変更
【補正の内容】
【０００９】
【課題を解決するための手段】
この発明に係るデータ記録再生装置は、データ記録媒体と、所定のプログラムの記録ビデオ信号にデータ圧縮処理をしてデータストリームを得るエンコーダと、このデータストリームをデータ記録媒体に記録するデータ記録手段と、データストリームのうち、記録ビデオ信号の一定時間毎の部分に対応するデータの記録位置を示す情報を持つテーブルを記憶する記憶手段と、このテーブルに基づいて、データ記録媒体より記録ビデオ信号の一定時間毎の部分に対応するデータを再生する第１のデータ再生手段と、再生されたデータを処理して、記録ビデオ信号の一定時間毎の部分に係る子画像を画面上の分割領域にそれぞれ配置したマルチ画面を表示するためのマルチ画面用ビデオ信号を作成するビデオ信号作成手段とを備えるものである。
また、この発明に係るデータ記録再生方法は、所定のプログラムの記録ビデオ信号にデータ圧縮処理をしてデータストリームを得るエンコードステップと、上記データストリームをデータ記録媒体に記録するデータ記録ステップと、上記データストリームのうち、上記記録ビデオ信号の一定時間毎の部分に対応するデータの記録位置を示す情報を持つテーブルを記憶する記憶ステップと、上記テーブルに基づいて、上記データ記録媒体より上記記録ビデオ信号の一定時間毎の部分に対応するデータを再生するデータ再生ステップと、上記再生されたデータを処理して、上記記録ビデオ信号の一定時間毎の部分に係る子画像を画面上の分割領域にそれぞれ配置したマルチ画面を表示するためのマルチ画面用ビデオ信号を作成するビデオ信号作成ステップとを有するものである。
【手続補正５】
【補正対象書類名】明細書
【補正対象項目名】００１４
【補正方法】変更
【補正の内容】
【００１４】
また、この発明に係るデータ記録再生装置は、データ記録媒体と、所定のプログラムの記録ビデオ信号にデータ圧縮処理をしてデータストリームを得るエンコーダと、このデータストリームをデータ記録媒体に記録するデータ記録手段と、記録ビデオ信号の一定時間毎の部分に係る子画像を画面上の分割領域にそれぞれ配置したマルチ画面を表示するためのマルチ画面用ビデオ信号を作成するビデオ信号作成手段と、この作成されたマルチ画面用ビデオ信号を上記データストリームに関連づけてデータ記録媒体に記録するビデオ信号記録手段と、データ記録媒体よりマルチ画面用ビデオ信号を再生するビデオ信号再生手段とを備えるものである。
また、この発明に係るデータ記録再生方法は、所定のプログラムの記録ビデオ信号にデータ圧縮処理をしてデータストリームを得るエンコードステップと、上記データストリームをデータ記録媒体に記録するデータ記録ステップと、上記記録ビデオ信号の一定時間毎の部分に係る子画像を画面上の分割領域にそれぞれ配置したマルチ画面を表示するためのマルチ画面用ビデオ信号を作成するビデオ信号作成ステップと、上記作成されたマルチ画面用ビデオ信号を上記データストリームに関連づけて上記データ記録媒体に記録するビデオ信号記録ステップと、上記データ記録媒体より上記マルチ画面用ビデオ信号を再生するビデオ信号再生ステップとを有するものである。
【手続補正６】
【補正対象書類名】明細書
【補正対象項目名】００１８
【補正方法】変更
【補正の内容】
【００１８】
また、この発明に係るデータ記録再生装置は、データ記録媒体と、所定のプログラムの記録ビデオ信号にデータ圧縮処理をしてデータストリームを得るエンコーダと、このデータストリームをデータ記録媒体に記録するデータ記録手段と、データ記録媒体に記録された複数のプログラムの記録ビデオ信号に対応したデータストリームの最初の記録位置を示す情報を持つテーブルを記憶する記憶手段と、このテーブルに基づいて、データ記録媒体より複数のプログラムの記録ビデオ信号に対応したデータストリームの最初の部分を再生する第１のデータ再生手段と、この再生された最初の部分を処理して、複数のプログラムの記録ビデオ信号に係る子画像を画面上の分割領域にそれぞれ配置したマルチ画面を表示するためのマルチ画面用ビデオ信号を作成するビデオ信号作成手段とを備えるものである。
また、この発明に係るデータ記録再生方法は、所定のプログラムの記録ビデオ信号にデータ圧縮処理をしてデータストリームを得るエンコードステップと、上記データストリームをデータ記録媒体に記録するデータ記録ステップと、上記データ記録媒体に記録された複数のプログラムの記録ビデオ信号に対応したデータストリームの最初の記録位置を示す情報を持つテーブルを記憶する記憶ステップと、上記テーブルに基づいて、上記データ記録媒体より上記複数のプログラムの記録ビデオ信号に対応したデータストリームの最初の部分を再生するデータ再生ステップと、上記再生された最初の部分を処理して、上記複数のプログラムの記録ビデオ信号に係る子画像を画面上の分割領域にそれぞれ配置したマルチ画面を表示するためのマルチ画面用ビデオ信号を作成するビデオ信号作成ステップとを有するものである。
【手続補正７】
【補正対象書類名】明細書
【補正対象項目名】００２３
【補正方法】変更
【補正の内容】
【００２３】
また、この発明に係るデータ記録再生装置は、データ記録媒体と、所定のプログラムの記録ビデオ信号にデータ圧縮処理をしてデータストリームを得るエンコーダと、このデータストリームをデータ記録媒体に記録するデータ記録手段と、このデータ記録媒体に記録された複数のプログラムの記録ビデオ信号に係る子画像を画面上の分割領域にそれぞれ配置したマルチ画面を表示するためのマルチ画面用ビデオ信号を作成するビデオ信号作成手段と、この作成されたマルチ画面用ビデオ信号をデータ記録媒体に記録するビデオ信号記録手段と、データ記録媒体より上記マルチ画面用ビデオ信号を再生するビデオ信号再生手段とを備えるものである。
また、この発明に係るデータ記録再生方法は、所定のプログラムの記録ビデオ信号にデータ圧縮処理をしてデータストリームを得るエンコードステップと、上記データストリームをデータ記録媒体に記録するデータ記録ステップと、上記データ記録媒体に記録された複数のプログラムの記録ビデオ信号に係る子画像を画面上の分割領域にそれぞれ配置したマルチ画面を表示するためのマルチ画面用ビデオ信号を作成するビデオ信号作成ステップと、上記作成されたマルチ画面用ビデオ信号を上記データ記録媒体に記録するビデオ信号記録ステップと、上記データ記録媒体より上記マルチ画面用ビデオ信号を再生するビデオ信号再生ステップとを有するものである。